(57)【要約】【課題】切り花の比較的短い寿命を解決すること。【解決手段】切り花を保存するための水性栄養培地に延長された鮮度を与える花束、並びに、１又は複数の切り花に長期寿命を与える方法であって、１又は複数の切り花にそれらの茎の切断面で該水性栄養培地と接するようにするステップを含む方法を記載する。【選択図】図１Ａ
2020092720.tif 000002
【特許請求の範囲】
【請求項１】
水性栄養培地と切り花の茎の切断面との接触によって、切り花用水性栄養培地に延長された鮮度を与えることができる切り花の花束であって、該花束が少なくとも３５ｃｍの茎長を有するカランコエ（Ｋａｌａｎｃｈｏｅ）属に属する１又は複数の切り花を含む、花束。
【請求項２】
前記切り花が、少なくとも４５ｃｍの、好ましくは少なくとも５０ｃｍの茎長を有するカランコエ属に属する、請求項１に記載の花束。
【請求項３】
前記切り花が、６０ｃｍまで又はそれ以上の茎長を有するカランコエ属に属する、請求項１又は２に記載の花束。
【請求項４】
前記切り花が、切り花の茎の下側４分の１に由来する枝のないカランコエ属に属する、請求項１から３のいずれか一項に記載の花束。
【請求項５】
前記切り花が、切り花の茎の下側３分の１に由来する枝のないカランコエ属に属する、請求項１から４のいずれか一項に記載の花束。
【請求項６】
前記切り花が、切り花の茎の下側２分の１に由来する枝のないカランコエ属に属する、請求項１から５のいずれか一項に記載の花束。
【請求項７】
前記切り花が、枝の除去を受けていないカランコエ属に属する、請求項１から６のいずれか一項に記載の花束。
【請求項８】
前記切り花が、茎の上側３分の１未満よりもさらに達しない茎のないカランコエ属に属する、請求項１から７のいずれか一項に記載の花束。
【請求項９】
前記切り花が、茎の上側４分の１未満よりもさらに達しない茎のないカランコエ属に属する、請求項８に記載の花束。
【請求項１０】
前記切り花が、八重咲き（ｄｏｕｂｌｅ  ｔｙｐｅ）であるカランコエ属に属する、請求項１から９のいずれか一項に記載の花束。
【請求項１１】
前記切り花が、種間雑種であるカランコエ属に属する、請求項１から１０のいずれか一項に記載の花束。
【請求項１２】
前記種間雑種が、カランコエ・ラキニアータ（Ｋａｌａｎｃｈｏｅ  ｌａｃｉｎｉａｔａ）との交雑に由来する、請求項１０に記載の花束。
【請求項１３】
前記種間雑種が、以下の種：カランコエ・アロマティカ（Ｋａｌａｎｃｈｏｅ  ａｒｏｍａｔｉｃａ）、カランコエ・ブロスフェルディアナ（Ｋａｌａｎｃｈｏｅ  ｂｌｏｓｓｆｅｌｄｉａｎａ）、カランコエ・カンパニュラータ（Ｋａｌａｎｃｈｏｅ  ｃａｍｐａｎｕｌａｔａ）、カランコエ・クランダリー（Ｋａｌａｎｃｈｏｅ  ｃｒｕｎｄａｌｌｉｉ）、カランコエ・グリシリプス（Ｋａｌａｎｃｈｏｅ  ｇｒｉｃｉｌｉｐｅｓ）及びカランコエ・ラキニアータ、の少なくとも２つの間の交雑に由来する、請求項１１又は１２に記載の花束。
【請求項１４】
前記種間雑種が以下：ファンシー・ホワイト・メドウ（Ｆａｎｃｙ  Ｗｈｉｔｅ  Ｍｅａｄｏｗ）、デリケート・ホワイト・メドウ（Ｄｅｌｉｃａｔｅ  Ｗｈｉｔｅ  Ｍｅａｄｏｗ）、ブロッサム・ピンク・メドウ（Ｂｌｏｓｓｏｍ  Ｐｉｎｋ  Ｍｅａｄｏｗ）、ビューティフル・レッド・メドウ（Ｂｅａｕｔｉｆｕｌ  Ｒｅｄ  Ｍｅａｄｏｗ）、アメージング・ピンク・メドウ（Ａｍａｚｉｎｇ  Ｐｉｎｋ  Ｍｅａｄｏｗ）、アドラブル・ホワイト・メドウ（Ａｄｏｒａｂｌｅ  Ｗｈｉｔｅ  Ｍｅａｄｏｗ）、アドラブル・ピンク・メドウ（Ａｄｏｒａｂｌｅ  Ｐｉｎｋ  Ｍｅａｄｏｗ）、ファシネイティング・レッド・メドウ（Ｆａｓｃｉｎａｔｉｎｇ  Ｒｅｄ  Ｍｅａｄｏｗ）、ジューシー・ピンク・メドウ（Ｊｕｉｃｙ  Ｐｉｎｋ  Ｍｅａｄｏｗ）、ラバブル・ピンク・メドウ（Ｌｏｖａｂｌｅ  Ｐｉｎｋ  Ｍｅａｄｏｗ）、ソフィスティケイティッド・ピンク・メドウ（Ｓｏｐｈｉｓｔｉｃａｔｅｄ  Ｐｉｎｋ  Ｍｅａｄｏｗ）、テンダー・ホワイト・メドウ（Ｔｅｎｄｅｒ  Ｗｈｉｔｅ  Ｍｅａｄｏｗ）、ウォーム・イエロー・メドウ（Ｗａｒｍ  Ｙｅｌｌｏｗ  Ｍｅａｄｏｗ）、ウォーム・オレンジ・メドウ（Ｗａｒｍ  Ｏｒａｎｇｅ  Ｍｅａｄｏｗ）、２００９−０９３８、２００９−０２６１、２０１２−０９３９、２００９−１２７４、２０１２−６０２６及び２０１１−０３２２、からなる変種の群から選択される、請求項１１から１３のいずれか一項に記載の花束。
【請求項１５】
前記切り花が、カランコエとは異なる属に属する１又は複数の切り花を含む、請求項１から１４のいずれか一項に記載の花束。
【請求項１６】
バラ科（Ｒｏｓａｃｅａｅ）由来、好ましくはバラ属（Ｒｏｓａ）由来の切り花を含む、請求項１５に記載の花束。
【請求項１７】
前記カランコエとは異なる属に属する１又は複数の切り花が、異なる属、種及び／又は変種に属する複数の切り花を含む、請求項１５又は１６に記載の花束。
【請求項１８】
切り花用水性栄養培地の鮮度を延長するための請求項１から１７のいずれか一項に定義された、カランコエ属に属する１又は複数の切り花の使用。
【請求項１９】
請求項１から１４のいずれか一項に定義されたカランコエ属に属する１又は複数の切り花を、それらの茎の切断面で水性栄養培地と接触させるステップを含む、切り花用水性栄養培地に延長された鮮度を与えるための方法。
【請求項２０】
カランコエとは異なる属に属する１又は複数の切り花の寿命を延長するための、請求項１から１４のいずれか一項に定義されたカランコエ属に属する１又は複数の切り花の使用。
【請求項２１】
カランコエ属由来の１又は複数の切り花、及びカランコエとは異なる属に属する１又は複数の切り花が、花束に組み込まれていることを特徴とする、請求項２０に記載の使用。
【請求項２２】
請求項１から１４のいずれか一項に定義されたカランコエ属に属する１又は複数の切り花とともに、カランコエとは異なる属に属する１又は複数の切り花を、それらの茎の切断面で、該切り花用水性栄養培地と接触させるステップを含む、カランコエとは異なる属に属する１又は複数の切り花に長期寿命を与えるための方法。
【発明の詳細な説明】
【技術分野】
【０００１】
説明
本発明は、切り花用水性栄養培地に延長された鮮度を与えることができる切り花の花束、切り花用水性栄養培地に延長された鮮度を与えるための方法、１又は複数の切り花の寿命を延長するための１又は複数の切り花の使用、及び、１又は複数の切り花の寿命を延長するための方法に関する。
【背景技術】
【０００２】
花屋及び顧客のいずれも、通常、水性液体栄養培地、例えば水道水又は植物の栄養素で強化された水の中で切り花の花束を維持する。花は、例えば花瓶又はバケツ、あるいは、水性栄養培地を保持し、かつ切り花の茎を水性培地と接触させるその他任意の適切な容器中に維持することができ、特に茎の切り口を水性栄養培地に浸水させ、したがって切り花に培地から水及び栄養を吸収させる。
【０００３】
しかしながら、切り花のよく知られた問題は比較的短い寿命である。この現象は花の茎を切断し、液体栄養培地に入れた時から始まる。培地は比較的短期間で汚れ始め、切り花の早期の腐敗をもたらす。花屋にとって、花が販売のために提供される期間内に花のかなりの部分が枯れてしまうため、この問題は深刻である。多くの切り花は限られた日数しかもたないため、顧客もまた、この問題に直面している。花屋及び顧客のいずれも、切り花の寿命の延長から大いに利益を得るであろう。
【０００４】
本発明者らは現在、非常に驚くべきことに、花束がカランコエ（Ｋａｌａｎｃｈｏｅ）属に属する１又は複数の切り花を含む場合、水性栄養培地が延長された鮮度を有する、すなわち汚れの影響をうけにくいということを発見した。カランコエ属に属する切り花の茎が水性栄養培地に浸水される限り、水性栄養培地、例えば水道水又は植物の栄養素を強化された水が、新鮮で無臭のままであったということに気付いた（８週まで）。
【発明の概要】
【０００５】
それゆえ、本発明は、該水性栄養培地と該切り花の茎の切断面との接触によって、切り花用水性栄養培地に延長された鮮度を与えることができる切り花の花束であって、該花束が少なくとも３５ｃｍの茎長を有するカランコエ属に属する１又は複数の切り花を含む花束に関する。
【０００６】
本発明を次に以下の図面及び実施例によってさらに説明し、図１Ａ〜Ｇはカランコエと他の種の緑を含む切り花との両方を含んでなる異なる花束を示す。
【図面の簡単な説明】
【０００７】
【図１Ａ】図１Ａは、カランコエ「アドラブル・ピンク・メドウ」、及び以下の緑：ユーカリ（Ｅｕｃａｌｙｐｔｕｓ）、カイノキ（Ｐｉｓｔａｃｉａ）及びヤシ（ｐａｌｍ）の葉を含む花束を示す。
【図１Ｂ】図１Ｂは、カランコエ「アメージング・ピンク・メドウ」、及び以下の緑：ユーカリ、カイノキ及びヤシの葉の花束を示す。
【図１Ｃ】図１Ｃは、カランコエ「アメージング・ピンク・メドウ」、ファレノプシス（Ｐｈａｅｌａｎｏｐｓｉｓ）及び装飾用緑を含む花束を示す。
【図１Ｄ】図１Ｄは、カランコエ「アドラブル・ピンク・メドウ」、チョウセンアザミ（Ｃｙｎａｒａ）及び装飾用緑を含む花束を示す。
【図１Ｅ】図１Ｅは、カランコエ「アメージング・ピンク・メドウ」、バラ、ヒアシンス、ヒペリコン（Ｈｙｐｅｒｉｃｏｎ）、キンポウゲ及び装飾用緑を含む花束を示す。
【図１Ｆ】図１Ｆは、カランコエ「アメージング・ピンク・メドウ」、バラ、ヒアシンス、ガーベラ、キンポウゲ及び装飾用緑を含む花束を示す。
【図１Ｇ】図１Ｇは、カランコエ「アメージング・ピンク・メドウ」、バラ、シンビジウム及び装飾用緑を含む花束を示す。
【図２】図２は、上面図（Ａ）及び側面図（Ｂ）における収穫後３週間のカランコエ「スプリング・イエロー・メドウ」を示す。
【図３】図３は、側面（３Ａ）、上面（３Ｂ）及び詳細（３Ｃ）からの、実施例２に従って品質を維持する部屋で７日後の、切り花の、バラとの組み合わせでのカランコエ（左）、バラ（左から２番目）、カランコエ（左から３番目）、及び植物を含まない水（右）の状態を示す。詳細では、バラのみの試料は左側にあり、そしてカランコエとの組み合わせでのバラの試料は右側にある。
【図４】図４は、側面からの、実施例２に従って品質を維持する部屋で７日後の、切り花の、ナデシコとの組み合わせでのカランコエ（左）、ナデシコ（左から２番目）、カランコエ（左から３番目）、及び植物を含まない水（右）の状態を示す。
【図５】図５は、側面からの、実施例２に従って品質を維持する部屋で７日後の、切り花の、キクとの組み合わせでのカランコエ（左）、キク（左から２番目）、カランコエ（左から３番目）、及び植物を含まない水（右）の状態を示す。
【図６】図６は、側面からの、実施例２に従って品質を維持する部屋で７日後の、切り花の、ガーベラとの組み合わせでのカランコエ（左）、ガーベラ（左から２番目）、カランコエ（左から３番目）、及び植物を含まない水（右）の状態を示す。
【図７Ａ】図７は、水道水中に維持された切り花及び装飾用緑の収穫後３週間の、カランコエ「アドラブル・ピンク・メドウ」、及び装飾用緑のカイノキを含む花束を示す。  図７Ａは上面図であり、一方で図７Ｂは同じ花束の茎を示す。図７Ｃは３週間後の水道水の近接写真である。
【図７Ｂ】図７は、水道水中に維持された切り花及び装飾用緑の収穫後３週間の、カランコエ「アドラブル・ピンク・メドウ」、及び装飾用緑のカイノキを含む花束を示す。  図７Ａは上面図であり、一方で図７Ｂは同じ花束の茎を示す。図７Ｃは３週間後の水道水の近接写真である。
【図７Ｃ】図７は、水道水中に維持された切り花及び装飾用緑の収穫後３週間の、カランコエ「アドラブル・ピンク・メドウ」、及び装飾用緑のカイノキを含む花束を示す。  図７Ａは上面図であり、一方で図７Ｂは同じ花束の茎を示す。図７Ｃは３週間後の水道水の近接写真である。
【図８Ａ】図８Ａ〜Ｃは、品質部屋（温度：１９℃、光：８ｈ／日、光強度：１０μｍｏｌ／ｍ2／ｓ）において５週間超維持された、収穫後１（Ａ）、２（Ｂ）、及び５（Ｃ）週間の、水道水中（ｐＨ６．８、ＥＣ０．７２ｍＳ／ｃｍ）（左のパネル）又は水なし（右のパネル）での、カランコエ「アメージング・ピンク・メドウ」を含む花束を示す。
【図８Ｂ】図８Ａ〜Ｃは、品質部屋（温度：１９℃、光 ：８ｈ／日、光強度：１０μｍｏｌ／ｍ２／ｓ）において５週間超維持された、収穫後１（Ａ）、２（Ｂ）、及び５（Ｃ）週間の、水道水中（ｐＨ６．８、ＥＣ０．７２ｍＳ／ｃｍ）（左のパネル ）又は水なし（右のパネル）での、カランコエ「アメージング・ピンク・メドウ」を含む花束を示す。
【図８Ｃ】図８Ａ〜Ｃは、品質部屋（温度：１９℃、光 ：８ｈ／日、光強度：１０μｍｏｌ／ｍ２／ｓ）において５週間超維持された、収穫後１（Ａ）、２（Ｂ）、及び５（Ｃ）週間の、水道水中（ｐＨ６．８、ＥＣ０．７２ｍＳ／ｃｍ）（左のパネル ）又は水なし（右のパネル）での、カランコエ「アメージング・ピンク・メドウ」を含む花束を示す。
【発明を実施するための形態】
【０００８】
興味深いことに、多肉植物、例えばカランコエは切り花として適していないであろうと考えられていた。多肉植物の自生地は非常に乾燥した地域である。それゆえ多肉植物は多くの水を必要とせず、対照的に、過剰な水が与えられると多肉植物はむしろしおれて死ぬ傾向がある。切り花が連続的に水性栄養培地と接触している場合、当該花は培地で飽和する。そのような飽和は、土壌又は、鉢植え植物のために使用される特別な生育培地で成長した多肉植物にとって有害であろう。もし切り花として用いられるときには、多肉植物は一般に乾燥に、すなわち水性栄養培地と接触することなく維持される。カランコエ属の植物は多肉植物である。鉢植え植物として、特に日が短くなる冬に、植物のしおれ及び最終的な死をもたらすので、カランコエに過剰に水やりをしないよう実際に注意を払うべきである。それにもかかわらず、カランコエ属の切り花は近年記述され、実際に乾燥に保たれる。例えばｈｔｔｐ：／／ｗｗｗ．ｎｅｗｐｌａｎｔｓａｎｄｆｌｏｗｅｒｓ．ｃｏｍ／ｃｕｔ−ｆｌｏｗｅｒ−ｋａｌａｎｃｈｏｅｓ−ｔｈａｔ−ｃａｎ−ｓｔａｙ−ｗｅｅｋｓ−ｗｉｔｈｏｕｔ−ｗａｔｅｒ／参照。従って、カランコエはウェディングブーケに使用されている。例えばｈｔｔｐｓ：／／ｗｗｗ．ｙｏｕｔｕｂｅ．ｃｏｍ／ｗａｔｃｈ？ｖ＝Ｉａｅ０９＿ｌｓ０４Ａ参照。そのような花束は実際に液体水性栄養培地中で維持されることを意図するものでない。対称的にそのような花束は、水性栄養培地と接触することなく、その結婚式の日の間中、花嫁によって持たれることを意図する。
【０００９】
一部の花屋は花束にカランコエを使用し始めているが、Ｈｏｏｆｔｍａｎ（Ｂｌｏｅｍ
ｅｎ  Ｂｌａｄ  ｎｒ  ８、２０１２、ｐｐ．  １０−１８）は、そのようなカランコエは高度に分枝しかつ比較的小さく、約２０ｃｍの茎を有したので、これまで利用可能なカランコエを大きな花束に取り入れることの問題を述べる。実際に、該カランコエは、該カランコエの花がワイヤーにつけられる比較的小さな花束を作成するために使用された。そのような花束を液体栄養培地と接触させた場合、該ワイヤーでつながれたカランコエは該培地上で維持された、すなわちそれと接触しない。例えば「テイクアウェイ・ブーケ（ｔａｋｅ−ａｗａｙ  ｂｏｕｑｕｅｔ）」（Ｈｏｏｆｔｍａｎのページ１２における「ｍｅｅｎｅｅｍｂｏｅｋｅｔｊｅ」、上記）参照。花束を終えた後、それを終わった花と分離し、花を再度切り、実質的に茎の無い花をもたらし、そしてそれを水に別々に入れることによって、カランコエの花をより長く維持することができたということが示された。同様の提案が、１０ｃｍ未満の短い茎を有するカランコエの変種「リー（Ｌｅａ）」（ＣＰＶＯ  ２００５／１６５０）の単一の花が飲用グラスに小さな花の集合で生けられる、フラワーアレンジメント「インパルス・ギフト（ｉｍｐｕｌｓｅ  ｇｉｆｔ）」（「ｉｍｐｕｌｓｃａｄｅａｕｔｊｅ」、Ｈｏｏｆｔｍａｎのページ１３、上記）によってなされた。この変種は小型化のために品種改良され、選択されて、その小型性及び茎の下部の過剰な分枝のために鉢植え植物として使用される。
【００１０】
用語「花束」は、複数の切り花の集まりを意味することを意図し、当該花は好ましくは少なくとも３５ｃｍの、より好ましくは少なくとも４５ｃｍ、又は少なくとも５０ｃｍの茎長を有する。切り花は、顧客によって少なくとも３５ｃｍの茎長を有する切り花を受けて保持することができる花瓶に生けられることを意図する。好ましい実施形態では、花束は少なくとも３５ｃｍの茎長を有する複数の切り花としても定義され、該切り花は販売のために陳列され又は提供され、ホイルラップ（ｆｏｉｌ  ｗｒａｐ）（例えばプラスチック又は紙の）によって、及び／又は花束の花の茎をまとめる結束具によってまとめられる。花束は好ましくは、少なくとも３５ｃｍの茎長を有する３以上の切り花、より好ましくは５以上の切り花、あるいはさらに７、８もしくは１０以上のそのような切り花を含む。
【００１１】
従って、上記のＨｏｏｆｔｍａｎによって述べられた「インパルス・ギフト」は花束とみなすことはできない。このフラワーアレンジメントは、小さな飲用グラスでの販売のために提示された、ガーベラとの組み合わせで短い茎のカランコエを含むのみで、すなわち花束ではない。さらに、カランコエが水性栄養培地に延長された鮮度を与えることができ、花束で生けられた切り花の長期寿命をもたらしたということは、Ｈｏｏｆｔｍａｎによって観察されなかった。実際に、そのような小さなアレンジメントにおいて、水性培地のそのような汚れはそれほど顕著ではなく、気づかれないままであったように見える。
【００１２】
カランコエ属に属する切り花は水性栄養培地、例えば水道水中で非常に良好に維持することができ、水性栄養培地の非存在下で維持される場合と比較して長期寿命さえももたらす。さらにいっそう驚くべきことに、カランコエ属に属する切り花は、他の切り花の存在下であっても、切り花を維持するための水性栄養培地に延長された鮮度を与える。当該培地はより長期間、より澄んだままである。延長された鮮度を有するそのような培地は、驚くべきことに、その中で維持される、すなわちそれらの茎の切断面が該栄養培地中に浸水される切り花に、長期寿命を与える。それゆえ、カランコエ属に属する切り花は、それら自身にだけでなく他の切り花にも、該カランコエの茎の切断面、及び所望の場合にはそのような他の切り花の切断面を水性栄養培地と接触させることによって、長期寿命を与える能力を有する。用語「水性栄養培地」は、切り花を、該切り花の切断された茎を該培地と接触させることによって維持することを目的とする、全ての既知の培地を包含することを意図されている。特に、そのような培地は液体、例えば当該技術分野で知られる栄養素（例えばクリザール（Ｃｈｒｙｓａｌ）、ナールデン、オランダ、によって市販される）で任意にさらに強化される、水道水である。しかしながら、水性培地はまた、ゲルの形態とすることができ、あるいは別の基材、例えば液体栄養培地に浸した、（人工の）脱脂綿又はオアシス（Ｏａｓｉｓ）（登録商標）フローラルフォーム（ケント、オハイオ、アメリカ合衆国）に保持することができる。
【００１３】
カランコエ属の切り花が、全ての不利益に対して、水性栄養培地中で維持される場合、該培地は延長された鮮度を有し、カランコエの非存在下で他の切り花が維持される水性栄養培地と比較して、時間的に顕著により遅く汚れる傾向があるということが驚くべきことに観察された。さらに、当該技術分野において規定された乾燥条件下での維持と比較して、水性栄養培地中で維持される場合、カランコエ属に属する切り花はより良い性能を有する。
【００１４】
任意の説明に拘束される意図はなく、カランコエ属の切り花は、それらが維持される培地に対してこれまで気づかれない防腐効果を有し、かつ、この目的に向けて水性栄養培地中に排出される１又は複数の物質を含み得ると考えられる。その１又は複数の物質は他の切断された植物によって吸収されると考えられ、その結果としてそれら植物は、カランコエ属の切り花が該切り花を保持する水性栄養培地と接触すること又はしたことのない状況と比較して、より長く生き、かつより遅く枯れる能力を獲得する。それゆえ、望ましくない微生物の活性を抑制する、カランコエ属に属する切り花から排出される物質のできるだけ高い濃度を維持するために、根元部分が浸水される水性栄養培地を換えないことは有利である。
【００１５】
より大きなカランコエは、花束の魅力的な外観に寄与するだけでなく、花束がより大きなカランコエを含む場合であっても、液体培地の鮮度がより延長されるということも見られた。それゆえ、好ましい実施形態では、花束中のカランコエ属に属する切り花は、少なくとも４５ｃｍの、より好ましくは少なくとも５０ｃｍの茎長を有し、そして６０ｃｍまで又はそれ以上の茎長さえも有し得る。本明細書における切り花の茎長は、茎の切断面から、該切断面から最も離れた節（ｎｏｄｅ）までの測定された長さによって定義される。特に、花束に存在するカランコエだけでなく、複数及び好ましくはすべての花束の切り花がそのような長さを有する。
【００１６】
非常に魅力的な実施形態では、カランコエ属に属する切り花は切り花の下側４分の１に由来する枝がない。このことは、切り花が４０ｃｍの茎長を有する場合、当該花は当該茎の最も下の１０ｃｍにわたって枝がないことを意味する。枝がないことによって、そのようなカランコエは花束に組み込まれることに非常に適している。この目的のために、切り花の茎の下側３分の１に、さらにいっそう好ましくはそれらの下側２分の１に由来する枝がないことは、カランコエにとってさらにいっそう好ましい。
【００１７】
特に、花束中のカランコエ属に属する切り花は、花束に組み込まれる前に枝の除去を受けない、及び受けなかった。枝がその後好ましくは手で切り取られる、それらの下側２分の１に枝を有するカランコエの変種を使用することは可能であるが、枝を切り取る必要が無いように上述の枝を有しない又は顕著に有しない、カランコエの変種を使用することが非常に好ましい。本発明者らは、以下でより詳細に説明することとなる、そのような性質を満たすカランコエの変種を提供することができた。
【００１８】
別の魅力的な実施形態では、花束中のカランコエ属に属する切り花は、茎の上側３分の１、好ましくは上側４分の１未満よりもさらに達しない茎がない。
【００１９】
カランコエ属又は花束における組み込みの好適な種の例は、Ｋ．アンボレンシス（ａｍｂｏｌｅｎｓｉｓ）、Ｋ．アロマティカ（ａｒｏｍａｔｉｃａ）、Ｋ．ブロスフェルディアナ（ｂｌｏｓｓｆｅｌｄｉａｎａ）、Ｋ．カンパニュラータ（ｃａｍｐａｎｕｌａｔａ）、Ｋ．シトリナ（ｃｉｔｒｉｎａ）、Ｋ．コクシネア（ｃｏｃｃｉｎｅａ）、Ｋ．クランダリー（ｃｒｕｎｄａｌｌｉｉ）、Ｋ．ダイグレモンティアナ（ｄａｉｇｒｅｍｏｎｔｉａｎａ）、Ｋ．デクンベンス（ｄｅｃｕｍｂｅｎｓ）、Ｋ．ディクソニアナ（ｄｉｘｏｎｉａｎａ）、Ｋ．ファウスティ（ｆａｕｓｔｉｉ）、Ｋ．フェドチェンコイ（ｆｅｄｔｓｃｈｅｎｋｏｉ）、Ｋ．フィグエレドイ（ｆｉｇｕｅｒｅｄｏｉ）、Ｋ．フラメア（ｆｌａｍｍｅａ）、Ｋ．ガストニスボンニエリ（ｇａｓｔｏｎｉｓ−ｂｏｎｎｉｅｒｉ）、Ｋ．グラウセッセンス（ｇｌａｕｃｅｓｃｅｎｓ）、Ｋ．グラキリペス（ｇｒａｃｉｌｉｐｅｓ）、Ｋ．グランディフロラ（ｇｒａｎｄｉｆｌｏｒａ）、Ｋ．グィグナルディー（ｇｕｉｇｎａｒｄｉｉ）、Ｋ．フミリス（ｈｕｍｉｌｉｓ）、Ｋ．ヨングマンシー（ｊｏｎｇｍａｎｓｉｉ）、Ｋ．ラキニアータ（ｌａｃｉｎｉａｔａ）、Ｋ．ラティセペラ（ｌａｔｉｓｅｐｅｌａ）、Ｋ．ラクシフロラ（ｌａｘｉｆｌｏｒａ）、Ｋ．ロバータ（ｌｏｂａｔａ）、Ｋ．ロンギフロラ（ｌｏｎｇｉｆｌｏｒａ）、Ｋ．マンギニー（ｍａｎｇｉｎｉｉ）、Ｋ．マルモラータ（ｍａｒｍｏｒａｔａ）、Ｋ．ニカエ（ｎｙｉｋａｅ）、Ｋ．オブツセ（ｏｂｔｕｓｅ）、Ｋ．パニクラタ（ｐａｎｉｃｕｌａｔａ）、Ｋ．ピナータ（ｐｉｎｎａｔａ）、Ｋ．ポロフィロウカリクス（ｐｏｒｐｈｙｒｏｃａｌｙｘ）、Ｋ．プリットウィトジー（ｐｒｉｔｔｗｉｔｚｉｉ）、Ｋ．プベスケンス（ｐｕｂｅｓｃｅｎｓ）、Ｋ．プミラ（ｐｕｍｉｌａ）、Ｋ．ラウヒー（ｒａｕｈｉｉ）、Ｋ．ロツンディフォリア（ｒｏｔｕｎｄｉｆｏｌｉａ）、Ｋ．スカピゲラ（ｓｃａｐｉｇｅｒａ）、Ｋ．スクマケリー（ｓｃｈｕｍａｃｈｅｒｉｉ）、Ｋ．スパチュラータ（ｓｐａｔｈｕｌａｔａ）、Ｋ．ストレプタンサ（ｓｔｒｅｐｔａｎｔｈａ）、Ｋ．シンセパラ（ｓｙｎｓｅｐａｌａ）、Ｋ．トメントサ（ｔｏｍｅｎｔｏｓａ）、Ｋ．ティルシフロラ（ｔｈｙｒｓｉｆｌｏｒａ）、Ｋ．ツビフロラ（ｔｕｂｉｆｌｏｒａ）及びＫ．ウニフロラ（ｕｎｉｆｌｏｒａ）である。
【００２０】
好ましいカランコエの変種は八重咲き（ｄｏｕｂｌｅ  ｔｙｐｅ）であり、すなわち１つの花につき４枚超の花弁、好ましくは１つの花につき１０、２０、３０、３５、４０枚超の花弁を有する。
【００２１】
さらにいっそう好ましいのは、例えば欧州特許出願公開第１６７１５３６号明細書に開示される、カランコエの種間雑種及びその後代であり、特に八重咲きかつ上述の分枝特性及び長さを有するものである。
【００２２】
特定の実施形態では、種間雑種は、カランコエ・ラキニアータとの交雑に由来するが、それに限られない。カランコエ・ラキニアータに由来する種間雑種はそれらの任意の後代も包含する、すなわち、さらなる交雑及び選抜によって得られる。そのような種間雑種は優れた開花を有し、そして想定される茎長を有する変種は好都合に選択することができる。本発明の新たなカランコエの種間雑種を作成する最初のステップとして、稔性のカランコエの植物選抜が、別の種からの稔性のカランコエ選抜、又は稔性のカランコエの種間雑種と交雑される。交雑は、稔性花粉を花粉供与体（♂）から花粉受容体（♀）へと移すことによって成される。種子成熟及び種子の収穫後、種子を発芽させる。苗を好適な生育培地へと移し、移植後３から６週間に短日処理（日長１０時間及び１４時間の連続的な夜）によって開花を誘導する。開花が誘導される後、後代を必要な表現型、例えば草高、分枝性、茎の強度、花の大きさ、花色、花弁数、ならびにエチレン感受性及び花の寿命についてスクリーニングする。多数の後代を、形質要件を満たす雑種を同定するためにスクリーニングしなければならないであろう。望ましい表現型特性を有する雑種後代植物を、表現型特性が安定であるかを判断するために、従来の方法によって無性繁殖させた。
【００２３】
この目的のために、種間雑種は好ましくは以下の種:カランコエ・アロマティカ、カランコエ・ブロスフェルディアナ、カランコエ・カンパニュラータ、カランコエ・クランダリー、カランコエ・グリシリプス及びカランコエ・ラキニアータ、の少なくとも２つの間の交雑に由来する。
【００２４】
カランコエ属内の種間での好適な種間雑種の魅力的な例は、例えばカランコエの種間雑種「アドラブル・ホワイト・メドウ（Ａｄｏｒａｂｌｅ  Ｗｈｉｔｅ  Ｍｅａｄｏｗ）」、「アフリカン・ディライト（Ａｆｒｉｃａｎ  Ｄｅｌｉｇｈｔ）」（ＣＶＰＯ２０１２／００５５）、「ファンシー・ホワイト・メドウ（Ｆａｎｃｙ  Ｗｈｉｔｅ  Ｍｅａｄｏｗ）」、「デリケート・ホワイト・メドウ（Ｄｅｌｉｃａｔｅ  Ｗｈｉｔｅ  Ｍｅａｄｏｗ）」、「ソフィスティケイティッド・ピンク・メドウ（Ｓｏｐｈｉｓｔｉｃａｔｅｄ  Ｐｉｎｋ  Ｍｅａｄｏｗ）」、「アメージング・ピンク・メドウ（Ａｍａｚｉｎｇ  Ｐｉｎｋ  Ｍｅａｄｏｗ）」（ＣＶＰＯ  ２０１１／１５４９）、「アドラブル・ピンク・メドウ（Ａｄｏｒａｂｌｅ  Ｐｉｎｋ  Ｍｅａｄｏｗ）」（ＣＶＰＯ  ２０１３／２８３６）、「ブロッサム・ピンク・メドウ（Ｂｌｏｓｓｏｍ  Ｐｉｎｋ  Ｍｅａｄｏｗ）」、「ビューティフル・レッド・メドウ（Ｂｅａｕｔｉｆｕｌ  Ｒｅｄ  Ｍｅａｄｏｗ）」、「ファシネイティング・レッド・メドウ（Ｆａｓｃｉｎａｔｉｎｇ  Ｒｅｄ  Ｍｅａｄｏｗ）」、「ジューシー・ピンク・メドウ（Ｊｕｉｃｙ  Ｐｉｎｋ  Ｍｅａｄｏｗ）」、「テンダー・ホワイト・メドウ（Ｔｅｎｄｅｒ  Ｗｈｉｔｅ  Ｍｅａｄｏｗ）」、「ウォーム・オレンジ・メドウ（Ｗａｒｍ  Ｏｒａｎｇｅ  Ｍｅａｄｏｗ）」、「ロマンティック・ピンク・メドウ（Ｒｏｍａｎｔｉｃ  Ｐｉｎｋ  Ｍｅａｄｏｗ）」、「ロマンティック・オレンジ・メドウ（Ｒｏｍａｎｔｉｃ  Ｏｒａｎｇｅ  Ｍｅａｄｏｗ）」、「フェミニン・ピンク・メドウ（Ｆｅｍｉｎｉｎｅ  Ｐｉｎｋ  Ｍｅａｄｏｗ（ＣＶＰＯ  ２０１１／２６９６））」、「フェミニン・オレンジ・メドウ（Ｆｅｍｉｎｉｎｅ  Ｏｒａｎｇｅ  Ｍｅａｄｏｗ）」、「スプリング・イエロー（Ｓｐｒｉｎｇ  Ｙｅｌｌｏｗ）、ウォーム・イエロー・メドウ（Ｗａｒｍ  Ｙｅｌｌｏｗ  Ｍｅａｄｏｗ（ＣＶＰＯ  ２０１３／２８３５））」、「２０１１−１２７４」、「チャーミング・パープル・メドウ（Ｃｈａｒｍｉｎｇ  Ｐｕｒｐｌｅ  Ｍｅａｄｏｗ）」（ＣＶＰＯ  ２０１３／２８５３）、「サプライジング・デザート（Ｓｕｒｐｒｉｓｉｎｇ  Ｄｅｓｅｒｔ）」（ＣＶＰＯ  ２０１３／０２５６）、「シャイニー・レッド・メドウ（Ｓｈｉｎｙ  Ｒｅｄ  Ｍｅａｄｏｗ）」、「ファンキー・レッド・メドウ（Ｆｕｎｋｙ  Ｒｅｄ  Ｍｅａｄｏｗ）」、「バロック・ローズ・メドウ（Ｂａｒｏｑｕｅ  Ｒｏｓｅ  Ｍｅａｄｏｗ）」、「ジャジー・ホワイト・メドウ（Ｊａｚｚｙ  Ｗｈｉｔｅ  Ｍｅａｄｏｗ）」、「ラバブル・ピンク・メドウ（Ｌｏｖｅａｂｌｅ  Ｐｉｎｋ  Ｍｅａｄｏｗ）」（ＣＰＶＯ  ２０１４／１３６７）、「シャイニー・コーラル（Ｓｈｉｎｙ  Ｃｏｒａｌ）」、「スムーズ・イエロー・メドウ（Ｓｍｏｏｔｈ  Ｙｅｌｌｏｗ  Ｍｅａｄｏｗ）」、「チアフル・オレンジ・メドウ（Ｃｈｅｅｒｆｕｌ  Ｏｒａｎｇｅ  Ｍｅａｄｏｗ）」、「ドリーミング・ピンク・メドウ（Ｄｒｅａｍｉｎｇ  Ｐｉｎｋ  Ｍｅａｄｏｗ）」、「フローズン・ホワイト・メドウ（Ｆｒｏｚｅｎ  Ｗｈｉｔｅ  Ｍｅａｄｏｗ）」、「シュガー・レッド（Ｓｕｇａｒ  Ｒｅｄ）」、「トロピカル・パフェ（Ｔｒｏｐｉｃａｌ  Ｐａｒｆａ���ｔ）」、「２００５−０８９１」、「２００５−２６９３」、「２０１１−５０２８」、２０１０−５０１１、「ドリーミング・ピンク（Ｄｒｅａｍｉｎｇ  Ｐｉｎｋ）」、ＭＡＤＯＮＮＡＱ２（ＣＶＰＯ２０１３／１０３８）、「２００８−５２００」、「２０１２−５０４６」、「イエロー・アフリカン（Ｙｅｌｌｏｗ  Ａｆｒｉｃａｎ）」、２００５−１３３３’、２００９−５２３３’、５００２−０１２７’、「２００４−４００２」、２００４−４０１２’、「２００８−５０９０」、「２０１０−５１１０」、２０１０−５０６０’、「２００６−００１３」、「２０１１−１２７４」、「２００９−０９３８」、「２００９−０２６１」、「２０１２−０９３９」、「２００９−１２７４」、「２０１２−６０２６」、「２０１１−０３２２」及び「フローズン・ホワイト（Ｆｒｏｚｅｎ  Ｗｈｉｔｅ）」、特に、ファンシー・ホワイト・メドウ、デリケート・ホワイト・メドウ、ブロッサム・ピンク・メドウ、ビューティフル・レッド・メドウ、アメージング・ピンク・メドウ、アドラブル・ホワイト・メドウ、アドラブル・ピンク・メドウ、ファシネイティング・レッド・メドウ、ジューシー・ピンク・メドウ、ラバブル・ピンク・メドウ、ソフィスティケイティッド・ピンク・メドウ、テンダー・ホワイト・メドウ、ウォーム・イエロー・メドウ、ウォーム・オレンジ・メドウ、２００９−０９３８、２００９−０２６１、２０１２−０９３９、２００９−１２７４、２０１２−６０２６及び２０１１−０３２２である。
【００２５】
特に、カランコエの種間雑種、「アドラブル・ホワイト・メドウ」、「ファンシー・ホワイト・メドウ」、「デリケート・ホワイト・メドウ」、「ソフィスティケイティッド・ピンク・メドウ」、「アメージング・ピンク・メドウ」（ＣＶＰＯ  ２０１３／１５４９）、「アドラブル・ピンク・メドウ」（ＣＶＰＯ  ２０１３／２８３６）、「ブロッサム・ピンク・メドウ」、「ビューティフル・レッド・メドウ」、「ファシネイティング・レッド・メドウ」、「ジューシー・ピンク・メドウ」、「テンダー・ホワイト・メドウ」、「ウォーム・オレンジ・メドウ」、「ロマンティック・ピンク・メドウ」、「ロマンティック・オレンジ・メドウ」、「（フェミニン・ピンク・メドウ（ＣＶＰＯ  ２０１１／２６９６）」、「フェミニン・オレンジ・メドウ」、「ウォーム・イエロー・メドウ（ＣＶＰＯ  ２０１３／２８３５）、「２０１１−１２７４」、「サプライジング・デザート」（ＣＶＰＯ  ２０１３／０２５６）、「ラバブル・ピンク・メドウ」、２００９−０２６１、２０１２−０９３９、２００９−１２７４、２０１２−６０２６及び２０１１−０３２２が、少なくとも３５ｃｍ、４５ｃｍ、５０ｃｍ又はそれ以上の茎長を有する切り花のために提供される。
【００２６】
当該技術分野においてカランコエの切り花が乾燥に維持され、２〜３週後に枯れてしおれ始める一方で、他の切り花に寿命を与えることに加えて、カランコエ属の花はそれ自身が、水性栄養培地中で少なくとも４週、好ましくは６〜８週までの非常に高寿命を有するということが示された。示されるように、カランコエ属の花が水性栄養培地、例えば任意に栄養素で強化される水道水中に維持される場合、該培地が汚れるのにより長い時間がかかるということが示された。
【００２７】
好ましくは、長期寿命を与えるための１又は複数の切り花はカランコエとは異なる属に属する。カランコエ属の１つの種が、カランコエ属の他の種の寿命を延長することは可能であるが、最初の切り花が異なる属に属する場合、その効果はより明白かつ著しい。例えばカランコエの種間雑種、「アドラブル・ホワイト・メドウ」、「ファンシー・ホワイト・メドウ」、「デリケート・ホワイト・メドウ」、「ソフィスティケイティッド・ピンク・メドウ」、「アメージング・ピンク・メドウ」（ＣＶＰＯ  ２０１３／１５４９）、「アドラブル・ピンク・メドウ」（ＣＶＰＯ  ２０１３／２８３６）、「ブロッサム・ピンク・メドウ」、「ビューティフル・レッド・メドウ」、「ファシネイティング・レッド・メドウ」、「ジューシー・ピンク・メドウ」、「テンダー・ホワイト・メドウ」、「ウォーム・オレンジ・メドウ」、「ロマンティック・ピンク・メドウ」、「ロマンティック・オレンジ・メドウ」、「（フェミニン・ピンク・メドウ（ＣＶＰＯ  ２０１１／２６９６）」、「フェミニン・オレンジ・メドウ」、「ウォーム・イエロー・メドウ（ＣＶＰＯ  ２０１３／２８３５）、「２０１１−１２７４」、「サプライジング・デザート」（ＣＶＰＯ  ２０１３／０２５６）、「ラバブル・ピンク・メドウ」、２００９−０９３８、２００９−０２６１、２０１２−０９３９、２００９−１２７４、２０１２−６０２６及び２０１１−０３２２は、それらの寿命ならびに、カランコエ属に属するそれらの他の種及び変種の切り花及び装飾用緑（ｄｅｃｏｒａｔｉｖｅ  ｇｒｅｅｎｅｒｙ）についての寿命を延長する能力のために選択されたが、特にカランコエとは異なる属の切り花及び装飾用緑に対する。
【００２８】
非常に魅力的な実施形態では、花束はカランコエとは異なる属に属する１又は複数の切り花を含む。当該花は、水性栄養成長培地に保持されることに適している任意の切り花とすることができる。そのような切り花は、例えばバラ科（Ｒｏｓａｃｅａｅ）、特にバラ属（Ｒｏｓａ）のバラ科の科、又は、キク属（Ｃｈｒｙｓａｎｔｈｅｍｕｍ）（スプレー又はディスバッド（ｄｉｓｂｕｄ））、チューリップ属（Ｔｕｌｉｐａ）、ユリ属（Ｌｉｌｉｕｍ）、ガーベラ属（Ｇｅｒｂｅｒａ）、シンビジウム属（Ｃｙｍｂｉｄｉｕｍ）、フリージア属（Ｆｒｅｅｓｉａ）、ユーストマ属（Ｅｕｓｔｏｍａ）、アジサイ属（Ｈｙｄｒａｎｇｅａ）、ヒッペアストルム属（Ｈｉｐｐｅａｓｔｒｕｍ）、アルストロメリア属（Ａｌｓｔｒｏｍｅｒｉａ）、ボタン属（Ｐａｅｏｎｉａ）、アンスリウム属（Ａｎｔｈｕｒｉｕｍ）、サンテデスキア属（Ｚａｎｔｈｅｄｅｓｃｈｉａ）、ナデシコ属（Ｄｉａｎｔｈｕｓ）、カスミソウ属（Ｇｙｐｓｏｐｈｉｌａ）、ヒマワリ属（Ｈｅｌｉａｎｔｈｕｓ）、オトギリソウ属（Ｈｙｐｅｒｉｃｕｍ）、イソマツ属（Ｌｉｍｏｎｉｕｍ）、ヒアシンス属（Ｈｙａｃｉｎｔｈｕｓ）、キンポウゲ属（Ｒａｎｕｎｃｕｌｕｓ）、アヤメ属（Ｉｒｉｓ）、グラジオアラス属（Ｇｌａｄｉｏｌｕｓ）、アキノキリンソウ属（Ｓｏｌｉｄａｇｏ）、シオン属（Ａｓｔｅｒ）の科、及び装飾用緑とすることができる。大多数の場合には、全てにおいてではないとしても、水性培地がカランコエ属に属する１又は複数の切り花あるいは装飾用緑も含む、又は含んだ場合、寿命が延長されるということが見出された。それゆえ、用語「切り花」は、その茎が切断され、かつ水性栄養培地と接触して配置されている装飾用緑も包含する。これらは、例えば花束に、特に緑の外観及び例えば魅力的な葉の形のために、そして、仮に存在したとしてもそれらの花のためにはるかに少ない程度で組み込まれる切断された植物である。切り花の大多数にとって、それに代えて又は加えて魅力的な花を実際に有することは好ましいかもしれないが、本明細書ではしかしながら、そのような切断された植物は用語「切り花」によって包含されると見なされる。
【００２９】
バラを含む花束がカランコエも含む場合、特にバラの寿命が顕著に増加するということが示されるので、該切り花は好ましくはバラ科の科からの、好ましくはバラ属からの１又は複数の切り花を含む。
【００３０】
ごく少数の又はただ単一のカランコエ属の切り花が複数の他の切り花に、特に異なる属の植物に長期寿命を与えることができるということが見出された。つまり、培地中の限られた数のカランコエの花の存在のみが必要である。従って、花屋は束、すなわち、ただ１つ又は少数のカランコエの花の存在下で、カランコエ属に属さない多くの花を含む切り花の花束、を自由に維持することができる。しかしながら、花束により多くのカランコエ属の花を組み込むことは、美的観点から有利であり得る。魅力的な実施形態では、カランコエとは異なる属に属する花束中の１又は複数の切り花は、顧客に特に魅力的な、異なる属、種及び／又は変種に属する複数の切り花を含む。
【００３１】
本発明はまた、上に定義したカランコエ属に属する１又は複数の切り花を、それらの茎の切断面で水性栄養培地と接触させるステップを含む、切り花用水性栄養培地に延長された鮮度を与えるための方法を提供する。
【００３２】
従って、本発明はさらに、カランコエとは異なる属に属する１又は複数の切り花の寿命を延長するための、上に定義したカランコエ属に属する１又は複数の切り花の使用を提供する。カランコエ属の切り花は、他の任意の切り花が該水性培地に入れられる前に水性培地中に保持されることも可能である。その場合には、カランコエ属の該切り花は、長期寿命を与えることが想定されるその他の切り花に長期寿命を与えるために必要とされる性質を、培地に与えるように十分長く該培地中に維持されるべきである。少なくとも１日、しかし好ましくは数日以上、例えば２、３、４、５、６又は７日の期間が望ましい。該培地に後に、例えばカランコエの花が除去された後に入れられる切り花の長期寿命をもたらす該水性培地を、カランコエ属の切り花に強化させることによって、カランコエ属以外の切り花を保持することを意図する水性培地を事前に処理することができる花屋にとって、そのような手法は有利であろう。これら切り花は枯れることなくより長くもつようになり、花屋により長期間販売するための当該花を提供することを可能にする。しかしながら、カランコエ属に属する１又は複数の切り花は、１又は複数の他の切り花と同時に水性培地中に好ましくは保持され、そして、好ましくは上述と同じ花束の一部である。論じられたように、カランコエとは異なる属に属する１又は複数の切り花は好ましくは花束に組み込まれる。
【００３３】
切り花が、カランコエ属の１又は複数の切り花が維持される、又は維持された水性培地中に維持される場合、より長く新鮮なままであるということが現在見出されたように、本発明はまた、上に定義したカランコエ属に属する１又は複数の切り花とともに、カランコエとは異なる属に属する１又は複数の切り花を、それらの茎の切断面で、該切り花用水性栄養培地と接触させるステップを含む、カランコエとは異なる属に属する１又は複数の切り花に延長された寿命を与える方法に関する。
【実施例】
【００３４】
実施例１
花束への組み込みに適した例示された変種の起源
カランコエの雑種を作成する最初のステップとして、カランコエの植物選抜を、同一又は別の種からのカランコエの選抜、あるいは種間雑種と交雑する。交雑は花粉供与体（♂）から花粉受容体（♀）へと花粉を移すことによって行われる。種子成熟及び種子の収穫後、種子を発芽させる。開花誘導後、後代を例えば草高、分枝性、茎の強度、花の大きさ、花色、花弁数ならびにエチレン感受性及び花の寿命についてスクリーニングする。多数の後代を、形質要件を満たす雑種を同定するためにスクリーニングしなければならないであろう。望ましい表現型特性を有する雑種後代植物を、表現型特性が安定であるかどうかを判断するために、従来の方法によって無性繁殖させた。
【００３５】
アドラブル・ピンク・メドウ
ソフトピンク色八重咲き（３５枚超の花弁）のカランコエ種間（ラキニアータ×ブロスフェルディアナ）雑種
遺伝的背景：以下の間の交雑
♀  ２００４−０９１６（カランコエ・ラキニアータ×ブロスフェルディアナの雑種）
♂  １９９８−４６９（カランコエ・ラキニアータ×ブロスフェルディアナの雑種）
【００３６】
アドラブル・ホワイト・メドウ
白色八重咲き（３５枚超の花弁）のカランコエ種間（ラキニアータ×ブロスフェルディアナ）雑種
以下の遺伝的背景を有するアドラブル・ピンク・メドウに見られた白色突然変異体：
♀  ２００４−０９１６（カランコエ・ラキニアータ×ブロスフェルディアナの雑種）
♂  １９９８−４６９（カランコエ・ラキニアータ×ブロスフェルディアナの雑種）
【００３７】
アメージング・ピンク・メドウ
ピンク／ソフトオレンジ色八重咲き（３５枚超の花弁）のカランコエ種間（ラキニアータ×ブロスフェルディアナ）雑種
遺伝的背景：以下の間の交雑
♀  １９９８−４６９（カランコエ・ラキニアータ×ブロスフェルディアナの雑種）
♂  ２００６−０１９９（カランコエ・ラキニアータの雑種）
【００３８】
ビューティフル・レッド・メドウ
赤色八重咲き（３５枚超の花弁）のカランコエ種間（ラキニアータ×ブロスフェルディアナ×グラキリペス）雑種
遺伝的背景：以下の間の交雑
♀  ２００８−７０４２（カランコエ・ラキニアータ×グラキリペスの雑種）
♂  ２００９−０５１７（カランコエ・ラキニアータ×ブロスフェルディアナの雑種）
【００３９】
ブロッサム・ピンク・メドウ
ソフトピンク色八重咲き（３５枚超の花弁）のカランコエ種間（ラキニアータ×ブロスフェルディアナ×クランダリー）雑種
遺伝的背景：以下の間の交雑
♀  ２００６−０５４７（カランコエ・ラキニアータ×ブロスフェルディアナの雑種）
♂  ０３０６  カランコエ・クランダリー
【００４０】
デリケート・ホワイト・メドウ
白色八重咲きのカランコエ種間（ラキニアータ  ｘアロマティカ）雑種
遺伝的背景：以下の間の交雑
♀  ２００３−０６３８（カランコエ・ラキニアータの雑種）
♂  ００９１Ｂ  カランコエ・アロマティカ
【００４１】
ファンシー・ホワイト・メドウ
白色八重咲きのカランコエ種間（ラキニアータ×クレナタ）雑種
遺伝的背景：以下の間の交雑
♀  ２００３−０８１８（カランコエ・ラキニアータの雑種）
♂  ０１０１Ａ  カランコエ・クレナタ（Ｋａｌａｃｈｏｅ  ｃｒｅｎａｔａ）
【００４２】
ファシネイティング・レッド・メドウ
赤色八重咲きのカランコエ種間（ラキニアータ×ブロスフェルディアナ×グラキリペス）雑種
遺伝的背景：以下の間の交雑
♀  ２００８−７０４２（カランコエ・ラキニアータ×グラキリペスの雑種）
♂  ２００６−０６４５（カランコエ・ラキニアータ×ブロスフェルディアナの雑種）
【００４３】
ジューシー・ピンク・メドウ
ピンク色八重咲き（３５枚超の花弁）のカランコエ種間（ラキニアータ×ブロスフェルディアナ）雑種
遺伝的背景：以下の間の交雑
♀  ２００７−２０２４（カランコエ・ラキニアータ×ブロスフェルディアナの雑種）
♂  ２００６−０１９９（カランコエ・ラキニアータの雑種）
【００４４】
ラバブル・ピンク・メドウ
ピンク色八重咲き（３５枚超の花弁）のカランコエ種間（ラキニアータ×ブロスフェルディアナ）雑種
遺伝的背景：以下の間の交雑
♀  １９９８−４６９（カランコエ・ラキニアータ×ブロスフェルディアナの雑種）
♂  ２００６−０１９９（カランコエ・ラキニアータの雑種）
【００４５】
ソフィスティケイティッド・ピンク・メドウ
ピンク色八重咲きのカランコエ種間（ラキニアータ×ブロスフェルディアナ×カンパニュラータ）雑種
遺伝的背景：以下の間の交雑
♀  ２００３−０８３４（カランコエ・ラキニアータ×ブロスフェルディアナの雑種）
♂  ００９８  カランコエ・カンパニュラータ
【００４６】
テンダー・ホワイト・メドウ
白色八重咲き（３５枚超の花弁）のカランコエ種間（ラキニアータ×ブロスフェルディアナ）雑種
遺伝的背景：以下の間の交雑
♀  ２００５−０２９２（カランコエ・ラキニアータ×ブロスフェルディアナの雑種）
♂  ２００３−１６８５（カランコエ・ラキニアータ×ブロスフェルディアナの雑種）
【００４７】
ウォーム・イエロー・メドウ
黄色八重咲き（３５枚超の花弁）のカランコエ種間（ラキニアータ×ブロスフェルディアナ）雑種
遺伝的背景：以下の間の交雑
♀  ２００６−０１９９（カランコエ・ラキニアータの雑種）
♂  ２００６−０４７３（カランコエ・ラキニアータ×ブロスフェルディアナの雑種）
【００４８】
ウォーム・オレンジ・メドウ
オレンジ色八重咲き（３５枚超の花弁）のカランコエ種間（ラキニアータ×ブロスフェルディアナ）雑種
以下の遺伝的背景を有するアドラブル・ピンク・メドウに見られたオレンジ色の突然変異体：
♀  ２００６−０１９９（カランコエ・ラキニアータの雑種）
♂  ２００６−０４７３（カランコエ・ラキニアータ×ブロスフェルディアナの雑種）
【００４９】
２００９−０９３８
緑色八重咲き（３５枚超の花弁）のカランコエ種間（ラキニアータ×ブロスフェルディアナ）雑種
遺伝的背景：以下の間の交雑
♀  ２００６−０８４６（カランコエ・ラキニアータ×ブロスフェルディアナの雑種）
♂  ２００８−３８９４（カランコエ・ラキニアータ×ブロスフェルディアナの雑種）
【００５０】
２００９−０２６１
白色八重咲き（３５枚超の花弁）のカランコエ種間（ラキニアータ×ブロスフェルディアナ）雑種
遺伝的背景：以下の間の交雑
♀  ２００６−０１９９（カランコエ・ラキニアータの雑種）
♂  ２００５−２５１９（カランコエ・ラキニアータ×ブロスフェルディアナの雑種）
【００５１】
２０１２−０９３９
黄色八重咲き（３５枚超の花弁）のカランコエ・ラキニアータの雑種
遺伝的背景：以下の間の交雑
♀  ２００６−０１９９（カランコエ・ラキニアータの雑種）
♂  ２００６−０１９９（カランコエ・ラキニアータの雑種）
【００５２】
２００９−１２７４
黄色八重咲き（３５枚超の花弁）のカランコエ・ラキニアータの雑種
遺伝的背景：以下の間の交雑
♀  ２００６−０１９９（カランコエ・ラキニアータの雑種）
♂  ２００６−０１９９（カランコエ・ラキニアータの雑種）
【００５３】
２０１２−６０２６
オレンジ色八重咲き（３５枚超の花弁）のカランコエ種間（ラキニアータ×ブロスフェルディアナ）雑種
遺伝的背景：以下の間の交雑
♀  ２００９−４１６２（カランコエ・ラキニアータの雑種）
♂  ２００８−３８７０（カランコエ・ラキニアータ×ブロスフェルディアナの雑種）
【００５４】
２０１１−０３２２
オレンジ色八重咲き（３５枚超の花弁）のカランコエ種間（ラキニアータ×ブロスフェルディアナ）雑種
遺伝的背景：以下の間の交雑
♀  ２００６−０１９９（カランコエ・ラキニアータの雑種）
♂  ２００８−１０８９（カランコエ・ブロスフェルディアナの雑種）
【００５５】
実施例２
水性栄養培地中でのカランコエの生存能力
異なるカランコエの変種を、輸送を再現するために、それらの茎を切断することにより収穫し、プラスチックで包み、輸送用段ボール箱に入れ、そして１８℃の暗所で５日間保存した。切り花の切断された茎を水道水中に浸水しながら、植物を品質を維持する部屋（温度：１９℃、光：８ｈ／日、光強度：１０μｍｏｌ／ｍ2／ｓ）に置いた。切り花の草高、退色（ｆａｄｉｎｇ）、しおれ（ｗｉｌｔｉｎｇ）、茎の強度、及び鑑賞的価値の評価を収穫３週間後に行った。評価の直前に、試験される変種を上面及び側面から撮影した。それぞれ図２Ａ及び２Ｂ参照。
【００５６】
表１に示されるように、草高（ｃｍ）、退色（１〜５、１＝退色なし）、しおれ（１〜５、１＝しおれなし）、茎の強度（１〜５、１＝非常に強い）、鑑賞的価値（１〜５、１＝最も高い鑑賞的価値）に関するデータを、カランコエ植物の根元部分での花の茎の切除から３週間後に測定した。収穫時の値は「１」であった。
【００５７】
全ての変種が水道水中に維持された後に、それらの品質を保つということがわかる。水道水は当該期間及びさらに長い間、透明なままであった。図２Ｂも参照。
【００５８】
【表１】
2020092720.tif 000003
【００５９】
実施例３
栄養培地の鮮度及び他の切り花の寿命に対するカランコエの効果−単一の花の試験
切り花のバラ、ナデシコ、キク及びガーベラ、を単独で、又はカランコエ「アメージング・ピンク・メドウ」の切り花とともに、品質を維持する部屋（温度：１９℃、光：８ｈ／日、光強度：１０μｍｏｌ／ｍ2／ｓ）において、２８．５ｍｌの水道水（ｐＨ６．８、ＥＣ０．７２ｍＳ／ｃｍ）中で、個別の種の又はカランコエの花の茎とともにする試験のために、シリンダーガラス当たり１本の花の茎で、７日間維持した。水消費量を測定した。光透過率を花の水道水の５ｍｌの試料で測定し、同様のバイアルに７日間同一条件下で保存された水道水と比較した。これは、Ｓｐｅｃｔｒｏｑｕａｎｔ  ＳＣ１１８、メルク（Ｍｅｒｃｋ）、（方法２４２）を使用して、３４０ｎｍで行われた。
【００６０】
実験の開始から７日後、植物を、退色（１〜５、１＝退色なし）、しおれ（１〜５、１＝しおれなし）、鑑賞的価値（１〜５、１＝最も高い鑑賞的価値）、及び水消費量（ｍｌ）について評価した。表２参照。実験開始時の、退色、しおれ及び鑑賞的価値についての値は１に設定した。退色評価について、バラとカランコエとの組み合わせのわずかに好ましい効果があった（１．３対２）。ナデシコについても同様である（１．４対１．５）。キク及びガーベラでは、７日後に効果は見られなかった。
【００６１】
バラでは、しおれ評価についてバラとカランコエとの組み合わせの好ましい効果があった（２対４）。
【００６２】
バラとカランコエ（２対４）及びナデシコとカランコエ（１．３対１．７）及びキクとカランコエ（１．５対２．２）及びガーベラとカランコエ（１．１対１．５）とを組み合わせることによって、試験された全ての種の鑑賞的価値が改善された。
【００６３】
水消費量を、実験開始時の水の初期量から、実験の開始７日後の水の量を引くことによって計算した。試験された５つの種のうち、カランコエは顕著に最も低い水消費量を有した。バラと組み合わされたカランコエについて、水の吸収（１６．６ｍｌ）は、カランコエからの個別の吸収（３．４ｍｌ）をバラからの個別の吸収（１１．６ｍｌ）と足した場合よりも高かった。明白な説明は、個別のバラはカランコエと組み合わされたバラと比較して、比較的早くしおれ始めたということである。同じパターンがガーベラにみられる。ガーベラと組み合わされたカランコエについて、水の吸収（１１．９ｍｌ）は、カランコエからの個別の吸収（３．４ｍｌ）をガーベラからの個別の吸収（６．３ｍｌ）と足した場合よりも高かった。
【００６４】
【表２】
2020092720.tif 000004
【００６５】
ガーベラでは、７日後に（バラについてのような）しおれは無いが、本発明者らはカランコエとの組み合わせでより高い水の吸収を認めた。しかし、光透過率が個別のガーベラからよりも、ガーベラと組み合わされたカランコエからの水を通して高かったということが分かる。本発明者らは、カランコエと組み合わされた場合、４種すべてについての水を通じた上昇した光透過率の明らかな効果が分かり、カランコエ属の切り花が水性栄養培地中に排出される１又は複数の物質を含む、あるいは他の種の植物から排出される物質がカランコエによって吸収される、あるいは他の種について排出される物質がカランコエから排出される物質によって除去され又は分解されるという考えを支持する。結果としてカランコエ以外の種のこれら植物は、カランコエ属の切り花が該切り花を保持する水性栄養培地と接触すること又はしたことのない状況と比較して、より長く生き、かつより遅く枯れる能力を獲得する。図３〜６も参照。ここで記載したカランコエの変種「アメージング・ピンク・メドウ」の代わりに、実施例１で述べたカランコエの変種のいずれかを使用した場合に、同様の結果が得られた。
【００６６】
実施例４
栄養培地の鮮度及び他の切り花の寿命に対するカランコエの効果−花束の試験
カランコエの種間雑種「アドラブル・ピンク・メドウ」及び装飾用緑のカイノキを含む花束を、品質部屋（温度：１９℃、光：８ｈ／日、光強度：１０μｍｏｌ／ｍ2／ｓ）において、水道水（ｐＨ６．８、ＥＣ０．７２ｍＳ／ｃｍ）中で、切り花及び装飾用緑の収穫後３週間維持した。切り花及び装飾用緑のいずれも、両方の根元部分と同様に新鮮なままであった。それぞれ図７Ａ及び７Ｂ参照。水道水は当該期間中、新鮮なままであった。図７Ｃ参照。水の量は３週間にわたって７５％まで減少し、水及びカランコエの切り花から放出された化合物の顕著な吸収を示した。切り花及び装飾用緑の根元部分を取り囲んでいた水を通じた透過率を測定した。本発明者らは、透過率が水道水で測定された初期の１００％の９１．７％に減少することを発見した。非常に高い透過率及び水からの臭気がないことは、水中に顕著な微生物の活性がないことを示す。同様の結果が、例えば図１Ａ〜Ｇに示された他のカランコエを含む花束について得られた。
【００６７】
実施例５
カランコエは水道水中で水道水なしよりも長く生きる
カランコエ「アメージング・ピンク・メドウ」を含む花束を、品質部屋（温度：１９℃、光：８ｈ／日、光強度：１０μｍｏｌ／ｍ2／ｓ）において、水道水（ｐＨ６．８、ＥＣ０．７２ｍＳ／ｃｍ）中で又はなしで、５週間超、維持した。１、３及び５週間後に花を評価し、水道水中に維持された花が水なしの花よりも新鮮さを保ったということが示された。それぞれ図８Ａ〜Ｃ参照。
【図１Ａ】
2020092720.tif 000005
【図１Ｂ】
2020092720.tif 000006
【図１Ｃ】
2020092720.tif 000007
【図１Ｄ】
2020092720.tif 000008
【図１Ｅ】
2020092720.tif 000009
【図１Ｆ】
2020092720.tif 000010
【図１Ｇ】
2020092720.tif 000011
【図２】
2020092720.tif 000012
【図３】
2020092720.tif 000013
【図４】
2020092720.tif 000014
【図５】
2020092720.tif 000015
【図６】
2020092720.tif 000016
【図７Ａ】
2020092720.tif 000017
【図７Ｂ】
2020092720.tif 000018
【図７Ｃ】
2020092720.tif 000019
【図８Ａ】
2020092720.tif 000020
【図８Ｂ】
2020092720.tif 000021
【図８Ｃ】
2020092720.tif 000022
【外国語明細書】
2020092720000001.pdf